(57)【特許請求の範囲】
【請求項１】
外部ブラケット側と外部ブラケット側の反対側に位置する内部ブラケット側とを備えるブラケット壁と、
ブラケット壁の外部ブラケット側に隣接する第１のドックと、
を備えるブラケットと、
第１のドックとヒンジ結合される第１のヒンジ部材と、を備え、
第１のヒンジ部材は、
第１の上端部と、
第１の上端部の反対側に位置する第１の底端部と、
第１の上端部と第１の底端部との間に伸びる第１の側壁と、
第１の上端部に位置し、停止部を備える第１の突出部と、
第１の側壁によって画定される第１の穴と、を備え、
第１の軸線は、第１の突出部の中心及び第１の上端部と第１の底端部との間を通って伸びており、
第１のドックは、ブラケット壁の外部ブラケット側に伸びる第１の切欠きを備え、
ゴルフバッグ支持機構が収納状態にある場合、
第１の突出部は、第１の切欠きから離間され、
ゴルフバッグ支持機構が伸張状態にある場合、
第１の突出部の停止部は、第１の切欠きに受容され、
伸張状態にある場合の第１の軸線とブラケット壁との間の伸張角度は、収納状態にある場合の第１の軸線とブラケット壁との間の収納角度よりも大きい、ゴルフバッグ支持機構。
【請求項２】
第１の穴は、第１の底端部から第１の上端部に向かって伸びており、
第１の穴は、第１の軸線を中心に配置され、
第１の突出部は、第１のヒンジ部材の第１の上端部の中心に配置され、
ブラケットは、内部ブラケット側がゴルフバッグに対向するように、ゴルフバッグの上部バッグ部分に結合される、請求項１に記載のゴルフバッグ支持機構。
【請求項３】
ブラケットは、ゴルフバッグの上部バッグ部分に結合され、
ブラケット壁は、上部バッグ部分のバッグ側壁に結合され、かつ、上部バッグ部分のバッグ側壁に実質的に平行に位置する、請求項１又は２に記載のゴルフバッグ支持機構。
【請求項４】
第１のヒンジ部材の第１の穴は、第１の支持脚の第１の端部を受容し、
ゴルフバッグ支持機構が、バッグ側壁に結合され、第１の支持脚の第１の端部が第１のヒンジ部材の第１の穴内に受容され、ゴルフバッグの底部及び第１の支持脚の第２の端部が支持面上に支持されている間に、ゴルフバッグ支持機構が伸張状態にある場合、
第１の突出部の停止部は、第１の切欠きと係合する、請求項３に記載のゴルフバッグ支持機構。
【請求項５】
第１の切欠きは、ブラケット壁を、ブラケット壁の外部ブラケット側から内部ブラケット側まで完全に貫通して伸びており、
ゴルフバッグ支持機構が伸張状態にある場合、第１の突出部の少なくとも一部は、第１の切欠きを、ブラケット壁の内部ブラケット側からブラケット壁の外部ブラケット側まで通って伸びる、請求項１から４のいずれか一項に記載のゴルフバッグ支持機構。
【請求項６】
第１の突出部は、長さが等しい平行な二直線と、二直線の両端のそれぞれにおいて一方の直線の端と他方の直線の端を結ぶ半円形と、からなる形状又は楕円形のうちの１つからなる、請求項１から５のいずれか一項に記載のゴルフバッグ支持機構。
【請求項７】
第１の突出部の停止部は、曲面状に形成されており、
第１の切欠きの底部は、第１の突出部の停止部に適合するように曲面状に形成されている、請求項１から６のいずれか一項に記載のゴルフバッグ支持機構。
【請求項８】
第１のヒンジ部材を第１のドックにヒンジで留める第１のクレビスピンをさらに備え、
第１のドックは、
第１の切欠きを備える第１の後壁と、
第１の後壁に実質的に垂直であり、第１の後壁の両端に結合される第１及び第２の耳部と、を備え、
第１の耳部は、第１の耳孔を備え、
第２の耳部は、第２の耳孔を備え、
第１のヒンジ部材は、
第１の側壁の第１の側壁端部であって、第１のヒンジ孔を備える第１の側壁端部と、
第１の側壁端部の反対側に位置する第１の側壁の第２の側壁端部であって、第２のヒンジ孔を備える第２の側壁端部と、を備え、
第１のクレビスピンは、第１のヒンジ部材を第１のドックとヒンジで留めるために、第１のヒンジ部材のヒンジ軸線に沿って、ヒンジ位置に挿入可能であり、
ヒンジ位置は、第１の耳孔と、第１のヒンジ孔と、第１の穴と、第２のヒンジ孔と、第２の耳孔内の第１のクレビスピンを備える、請求項１から７のいずれか一項に記載のゴルフバッグ支持機構。
【請求項９】
第１のヒンジ部材は、
第１の側壁端部と第２の側壁端部との間に位置する第１の側壁の第３の側壁端部と、
第１の側壁端部と第２の側壁端部との間に位置し、第３の側壁端部の反対側に位置する、第１の側壁の第４の側壁端部と、を備え、
第１の突出部は、
第３の側壁端部の方に対向する第１の突出部端部と、
第４の側壁端部の方に対向する第２の突出部端部と、を備え、
第１の突出部端部と第２の突出部端部とは、ヒンジ軸線を基準に、実質的に互いに対称であり、
第１のヒンジ部材は、
ゴルフバッグ支持機構が収納状態にある場合に、第３の側壁端部が第１のドックの第１の後壁に対向し、ゴルフバッグ支持機構が伸張状態にある場合に、第１の突出部端部が第１の切欠きに係合する、第１の向き、又は、
ゴルフバッグ支持機構が収納状態にある場合に、第４の側壁端部が第１のドックの第１の後壁に対向し、ゴルフバッグ支持機構が伸張状態にある場合に、第２の突出部端部が第１の切欠きに係合する、第２の向き
のいずれかの向きで第１のドック内に挿入可能である、請求項８に記載のゴルフバッグ支持機構。
【請求項１０】
第１のクレビスピンは、
クレビス頭部を備える頭部端部部分と、
クレビスピンがヒンジ位置にある場合、第２の耳孔から突出する挿入端部部分と、を備え、
挿入端部部分には、保持機構が設けられておらず、
挿入端部部分の最大厚さは、第１及び第２の耳孔、並びに、第１及び第２のヒンジ孔のそれぞれの孔寸法に適合する、請求項８又は９に記載のゴルフバッグ支持機構。
【請求項１１】
第１のヒンジ部材の第１の穴の内側端部は、内側端部から突出している第１及び第２の指部を備え、
第１のクレビスピンは、頭部端部部分と挿入端部部分との間に、第１のクレビスピンを少なくとも部分的に囲む第１の溝を備え、
第１の指部と第２の指部との間の距離は、
第１の溝における第１のクレビスピンの厚さと適合しており、
第１の溝の両側に隣接する第１のクレビスピンの厚さよりも薄く、
そして、
第１のクレビスピンがヒンジ位置から滑り落ちることを抑制するために、第１のクレビスピンがヒンジ位置にある場合、第１及び第２の指部は、第１の溝の両側に位置する、請求項１０に記載のゴルフバッグ支持機構。
【請求項１２】
伸張角度は、約４０度から約６０度までの間で構成される、請求項１から１１のいずれか一項に記載のゴルフバッグ支持機構。
【請求項１３】
ブラケット壁は、第１のドックの反対側であって、かつ、ブラケット壁の内部ブラケット側に位置する１個以上の補強リブを備え、
１個以上の補強リブのうちの少なくとも第１のリブは、第１の切欠きの底部の下、及び、隣接して位置する、請求項１から１２のいずれか一項に記載のゴルフバッグ支持機構。
【請求項１４】
第１のドックは、
第１の切欠きを備える第１の後壁と、
第１の後壁に実質的に垂直であって、第１の後壁の両側に結合される第１及び第２の耳部と、を備え、
ブラケットは、
ブラケット壁の上部縁端と、第１のドックの第１及び第２の耳部の上部縁端上方に結合される上部壁であって、ブラケット壁から外側に伸びており、かつ、ブラケット壁に実質的に平行でない上部壁と、をさらに備え、
少なくともゴルフバッグ支持機構が伸張状態にある場合、第１のヒンジ部材は、上部壁から完全に離間する、請求項１から１３のいずれか一項に記載のゴルフバッグ支持機構。
【請求項１５】
第２のヒンジ部材をさらに備え、
第２のヒンジ部材は、
第２のヒンジ部材の第２の上端部に位置する第２の突出部と、
第２の突出部の中心を通って伸びる第２の軸線と、を備え、
ブラケットは、ブラケット壁の外部ブラケット側に隣接する第２のドックをさらに備え、
第２のヒンジ部材は、第２のドックとヒンジ式に結合され、
ゴルフバッグ支持機構が伸張状態にある場合、
第２の軸線とブラケット壁との間の第２の伸張角度は、ゴルフバッグ支持機構が収納状態にある場合の第２の軸線とブラケット壁との間の第２の収納角度よりも大きく、
第２の収納角度は、収納角度に一致し、
第２の伸張角度は、伸張角度に一致する、請求項１から１４のいずれか一項に記載のゴルフバッグ支持機構。
【請求項１６】
ゴルフバッグ支持機構を提供するための方法であって、
外部ブラケット側と外部ブラケット側の反対側に位置する内部ブラケット側とを備えるブラケット壁と、
ブラケット壁の外部ブラケット側に隣接する第１のドックであって、ブラケット壁の外部ブラケット側に伸びる第１の切欠きを備える第１のドックと、
を備えるブラケットを設けるステップと、
第１のドックにヒンジ式に結合される第１のヒンジ部材を設けるステップと、を備え、
第１のヒンジ部材を設けるステップは、
第１の上端部を設けるステップと、
第１の上端部の反対側に位置する第１の底端部を設けるステップと、
第１の上端部と第１の底端部との間に伸びる第１の側壁を設けるステップと、
第１の上端部にあり、停止部を備える第１の突出部を設けるステップと、
第１の側壁によって画定される第１の穴を設けるステップと、を備え、
第１の軸線は、第１の突出部の中心及び第１の上端部と第１の底端部との間を通って伸びており、
ゴルフバッグ支持機構は、
第１の突出部が第１の切欠きから離間される場合に、収納状態に移行可能であり、
ゴルフバッグ支持機構は、
第１の突出部の停止部が第１の切欠きに受容される場合に、伸張状態に移行可能であり、
伸張状態にある場合の第１の軸線とブラケット壁との間の伸張角度は、収納状態にある場合の第１の軸線とブラケット壁との間の収納角度よりも大きい、方法。
【請求項１７】
第１のヒンジ部材を第１のドックにヒンジで留める第１のクレビスピンを設けるステップをさらに備え、
第１の穴を設けるステップは、
第１の底端部から第１の上端部に向かって伸びており、かつ、第１の軸線を中心に配置される、第１の穴を設けるステップを備え、
第１の突出部を設けるステップは、
第１のヒンジ部材の第１の上端部の中心に配置される第１の突出部を設けるステップと、
曲面状の第１の突出部の停止部を設けるステップと、を備え、
停止部は、
第１の突出部の第１の突出部端部と、
第１の突出部の第２の突出部端部であって、第１の突出部端部の反対側に位置する、第２の突出部端部と、のうちの１個を備え、
ブラケットを設けるステップは、
ゴルフバッグのバッグ側壁と結合され、かつ、ゴルフバッグのバッグ側壁と実質的に平行に位置するブラケット壁を構成するステップと、
ブラケット壁の外部ブラケット側から内部ブラケット側までブラケット壁を完全に貫通して伸びる第１の切欠きを設けるステップと、
第１の突出部の停止部に適合するように曲面状に形成されている、第１の切欠きの底部を設けるステップと、を備え、
第１のドックを設けるステップにおいて、
第１のドックは、
第１の切欠きを備える第１の後壁と、
第１の後壁に実質的に垂直であり、第１の後壁の両端に結合される第１及び第２の耳部と、を備え、
第１の耳部は、第１の耳孔を備え、
第２の耳部は、第２の耳孔を備え、
第１のヒンジ部材を設けるステップは、
第１の側壁の第１の側壁端部を設けるステップであって、第１のヒンジ孔を備える第１の側壁端部を設けるステップと、
第１の側壁端部の反対側に位置する第１の側壁の第２の側壁端部を設けるステップであって、第２のヒンジ孔を備える第２の側壁端部を設けるステップと、
第１の側壁端部と第２の側壁端部との間に位置し、第１の突出部の第１の突出部端部の方に向かって配置される、第１の側壁の第３の側壁端部を設けるステップと、
第１の側壁端部と第２の側壁端部との間に位置し、第１の突出部の第２の突出部端部の方に向かって配置される、第１の側壁の第４の側壁端部を設けるステップと、を備え、
第１のクレビスピンを設けるステップは、
第１のヒンジ部材を第１のドックとヒンジで留めるために、第１のクレビスピンを、第１のヒンジ部材のヒンジ軸線に沿ってヒンジ位置に挿入可能に構成するステップを備え、
ヒンジ位置は、第１の耳孔内に挿入され、第１のヒンジ孔と、第１の穴と、第２のヒンジ孔とを通って、第２の耳孔から出る第１のクレビスピンを備え、
第１のヒンジ部材は、
ゴルフバッグ支持機構が収納状態にある場合に、第３の側壁端部が第１のドックの第１の後壁に対向し、ゴルフバッグ支持機構が伸張状態にある場合に、第１の突出部端部が第１の切欠きに係合する、第１の向き、又は、
ゴルフバッグ支持機構が収納状態にある場合に、第４の側壁端部が第１のドックの第１の後壁に面し、ゴルフバッグ支持機構が伸張状態にある場合に、第２の突出部端部が第１の切欠きに係合する、第２の向き
のいずれかの向きで第１のドック内に挿入可能である、請求項１６に記載の方法。
【請求項１８】
第２のヒンジ部材の第２の上端部に位置する第２の突出部と、
第２の突出部の中心を通って伸びる第２の軸線と、を備える、第２のヒンジ部材を設けるステップを、さらに備え、
第１の突出部を設けるステップは、
第１の突出部を長さが等しい平行な二直線と、二直線の両端のそれぞれにおいて一方の直線の端と他方の直線の端を結ぶ半円形と、からなる形状又は楕円形のうちの１つで設けるステップを備え、
ブラケットを設けるステップは、
第２のヒンジ部材をヒンジ式に受容するために、ブラケット壁の外部ブラケット側に隣接する第２のドックを設けるステップをさらに備え、
第１のクレビスピンを設けるステップは、
クレビス頭部を供える頭部端部部分を設けるステップと、
クレビスピンがヒンジ位置にある場合、第２の耳孔から突出する挿入端部部分を設けるステップと、を備え、
挿入端部部分には、保持機構が設けられておらず、
挿入端部部分の最大厚さは、第１及び第２の耳孔、並びに、第１及び第２のヒンジ孔のそれぞれの孔寸法に適合しており、
ゴルフバッグ支持機構が収納状態にある場合、
第２の軸線とブラケット壁との間の第２の収納角度は、収納角度に一致し、
ゴルフバッグ支持機構が伸張状態にある場合、
第２の軸線とブラケット壁との間の第２の伸張角度は、伸張角度に一致し、かつ、第２の収納角度よりも大きく、
ゴルフバッグ支持機構がバッグ側壁に結合され、第１の支持脚の第１の端部が第１のヒンジ部材の第１の穴内に受容され、ゴルフバッグの底部及び第１の支持脚の第２の端部がゴルフバッグを支持面上に支持されている間に、ゴルフバッグ支持機構が伸張状態にある場合、
第１の突出部の停止部は、第１の切欠きと係合する、請求項１７に記載の方法。
【請求項１９】
バッグ側壁と、
第１及び第２の支持脚と、
ブラケットであって、
外部ブラケット側と、外部ブラケット側の反対側に位置する内部ブラケット側と、を有するブラケット壁であって、バッグ側壁に結合され、かつ、実質的に位置するブラケット壁と、
ブラケット壁の外部ブラケット側に位置する第１のドックであって、ブラケット壁の外部ブラケット側に伸びる第１の切欠きを備える、第１のドックと、
ブラケット壁の外部ブラケット側に位置する第２のドックであって、ブラケット壁の外部ブラケット側に伸びる第２の切欠きを備える、第２のドックと、を備える、ブラケットと、
第１及び第２のクレビスピンと、
第１のクレビスピンによって、第１のドックにヒンジ式に結合される第１のヒンジ部材と、
第２のクレビスクピンによって、第２のドックにヒンジ式に結合される第２のヒンジ部材と、を備え、
第１のヒンジ部材は、
第１の上端部と、
第１の上端部の反対側に位置する第１の底端部と、
第１の上端部の中心に配置され、停止部を備える第１の突出部であって、
停止部は、曲面状に形成されており、かつ、
第１の突出部の第１の突出部端部と、
第１の突出部の第２の突出部端部であって、第１の突出部端部の反対側に位置する第２の突出部端部と、
のうちの１つを備える、第１の突出部と、
第１の上端部と第１の底端部との間に伸びる第１の側壁であって、
第１の側壁は、
第１のヒンジ孔を備える第１の側壁端部と、
第１の側壁端部の反対側に位置する第２の側壁端部であって、第２のヒンジ孔を備える第２の側壁端部と、
第１の側壁端部と第２の側壁端部との間、及び、第１の突出部の第１の突出部端部の方に向かって配置される第３の側壁端部と、
第１の側壁端部と第２の側壁端部との間、及び、第１の突出部の第２の突出部端部の方に向かって配置される第４の側壁端部と、を備える、第１の側壁と、
第１の突出部の中心、及び、第１の上端部と第１の底端部との間を通って伸びる第１の軸線と、
第１の底端部から第１の上端部に向かって伸びており、かつ、第１の軸線を中心に配置される、第１の側壁によって画定される第１の穴と、
第１のドックは、
第１の切欠きを備える第１の後壁と、
第１の後壁に実質的に垂直に、かつ、第１の後壁の両端に結合される第１及び第２の耳部と、を備え、
第１の耳部は、第１の耳孔を備え、
第２の耳部は、第２の耳孔を備え、
第１のクレビスピンは、第１のヒンジ部材を第１のドックとヒンジで留めるために、第１のヒンジ部材のヒンジ軸線に沿って、ヒンジ位置に挿入可能であり、
ヒンジ位置は、第１の耳孔と、第１のヒンジ孔と、第１の穴と、第２のヒンジ孔と、第２の耳孔内の第１のクレビスピンを備え、
第１の切欠きの底部は、第１の突出部の停止部と適合するように曲面状に形成されており、
ゴルフバッグは、
第１の突出部が第１の切欠きから離間される場合に、収納状態に移行可能であり、
ゴルフバッグは、
第１の突出部の停止部が第１の切欠きに受容される場合に、伸張状態に移行可能であり、
伸張状態にある場合の第１の軸線とブラケット壁との間の伸張角度は、収納状態にある場合の第１の軸線とブラケット壁との間の収納角度よりも大きく、
第１のヒンジ部材は、
ゴルフバッグが収納状態にある場合に、第３の側壁端部が第１のドックの第１の後壁に対向し、ゴルフバッグが伸張状態にある場合に、第１の突出部端部が第１の切欠きに係合する、第１の向き、又は
ゴルフバッグが収納状態にある場合に、第４の側壁端部が第１のドックの第１の後壁に対向し、ゴルフバッグが伸張状態にある場合に、第２の突出部端部が第１の切欠きに係合する、第２の向き、
のいずれかで第１のドックに取り付け可能である、ゴルフバッグ。
【請求項２０】
第１の突出部は、長さが等しい平行な二直線と、二直線の両端のそれぞれにおいて一方の直線の端と他方の直線の端を結ぶ半円形と、からなる形状又は楕円形のうちの１つからなり、
第１のクレビスピンは、
クレビス頭部を備える第１の頭部端部部分と、
クレビスピンがヒンジ位置にある場合、第２の耳孔から突出する挿入端部部分と、を備え、
挿入端部部分には、クレビスピンを保持する保持機構がなく、
挿入端部部分の最大厚さは、第１及び第２の耳孔並びに第１及び第２のヒンジ孔のそれぞれの孔寸法に適合しており、
ブラケット壁がバッグ側壁に結合され、第１の支持脚の第１の端部が、第１のヒンジ部材の第１の穴内に受容され、ゴルフバッグの底部および第１の支持脚の第２の端部がゴルフバッグを支持面上に支持している間に、ゴルフバッグが伸張状態にある場合、
第１の突出部の停止部は、第１の切欠きと係合する、請求項１９に記載のゴルフバッグ。
【発明の詳細な説明】
【技術分野】
【０００１】
この開示は、全般的に、スポーツ用具に関し、より具体的には、ゴルフクラブバッグ支持機構および関連する方法に関する。
【背景技術】
【０００２】
ゴルフバッグ支持機構は、ゴルフバッグをプレー面上に支持することを助けるために、ゴルフバッグに組み込まれるか、またはそれに結合されることが多いが、同時に、ゴルフバッグ内に収容されたゴルフクラブを使用者が簡単に識別、抜取、および挿入するために傾ける。
【発明の概要】
【発明が解決しようとする課題】
【０００３】
収納可能に構成されるゴルフバッグ支持機構は存在するが、そのような機構は、時間の経過や、高荷重下において劣化する場合がある。そのため、そのような機構は、所望の伸張角度を維持できない、ゴルフバッグをプレーの地表面上に適切に支持できない、及び／又は、ゴルフクラブを適切な点検、挿入、又はゴルフバッグからの取出しに適切な角度に維持できない可能性がある。上記を考慮すると、ゴルフバッグ支持機構及び関連する方法のさらなる開発は、ゴルフバッグの実用性および特徴を向上させる。
【課題を解決するための手段】
【０００４】
この明細書に開示される技術は、ゴルフバッグ支持機構において実現されうる。ゴルフバッグ支持機構は、ブラケットと第１のヒンジ部材とを備える。ブラケットは、ブラケット壁と第１のドックとを備える。ブラケット壁は、外部ブラケット側と、外部ブラケット側の反対側するに位置する内部ブラケット側と、を備える。第１のドックは、ブラケット壁の外部ブラケット側に隣接する。第１のヒンジ部材は、第１のドックとヒンジ結合される。第１のヒンジ部材は、第１の上端部と、第１の上端部の反対側に位置する第１の底端部と、第１の上端部と第１の底端部との間に伸びる第１の側壁と、第１の上端部に位置し、停止部を備える第１の突出部と、第１の側壁によって画定される第１の穴とを備える。第１の軸線は、第１の突出部の中心、及び、第１の上端部と第１の底端部の間を通って伸びる。第１のドックは、ブラケット壁の外部ブラケット側内に伸びる第１の切欠きを備える。ゴルフバッグ支持機構が収納状態にある場合、収納角度は、第１の軸線とブラケット壁との間に存在し、第１の突出部は、第１の切欠きから離間する。ゴルフバッグ支持機構が伸張状態にある場合、収納角度よりも大きな伸張角度は、第１の軸線とブラケット壁との間に存在し、第１の突出部の停止部は、第１の切欠きにおいて受容される。
【図面の簡単な説明】
【０００５】
【図１】ゴルフバッグに結合され、かつ、収納された状態の例示的なゴルフバッグ支持機構の側面図を示す。
【図２】ゴルフバッグに結合され、かつ、伸張した状態のゴルフバッグ支持機構の側面図を示す。
【図３】収納状態のゴルフバッグ支持機構の正面図を示す。
【図４】伸張状態のゴルフバッグ支持機構の正面図を示す。
【図５】ゴルフバッグ支持機構のヒンジ部材の側面図を示す。
【図６】図５のヒンジ部材の平面図を示す。
【図７】図５の断面線７−７に沿ったヒンジ部材の断面図を示す。
【図８】図５のヒンジ部材の底面図を示す。
【図９】ゴルフバッグ支持機構のブラケットの正面図を示す。
【図１０】図９のブラケットのドックの平面図を示す。
【図１１】図９〜１０のブラケットのドックに結合され、かつ、伸張状態にある図５〜８のヒンジ部材の側部背面図を示す。
【図１２】図１０のドックに結合され、かつ、伸張状態にある図５〜８のヒンジ部材の側部断面図である。
【図１３】図５〜８のヒンジ部材が図１０のドックに対して部分的に回転するためのクレビスピンの斜視図を示す。
【図１４】図１３のクレビスピンによって、図１０のドックのドック耳部にヒンジ式に取り付けられる図５〜８のヒンジ部材の断面図を示す。
【図１５】ゴルフバッグ支持機構を提供するための方法のフローチャートを示す。
【発明を実施するための形態】
【０００６】
説明を単純化および明瞭化するために、図面は、一般的な方法でその構造を示し、また、周知の特徴および技術の説明および詳細については、ゴルフクラブ及びそれらの製造方法を、不必要に不明瞭にしないために省略する場合がある。さらに、図中の要素は、必ずしも同一寸法で描かれない。例えば、図中の要素のうちのいくつかの寸法は、ゴルフクラブおよびそれらの製造方法の実施形態の理解を向上させるために、他の要素に比べて拡大される場合がある。異なる図中の同一の参照符号は、同一の要素を示す。
【０００７】
明細書及び特許請求の範囲において、必要な場合には、用語「第１」、「第２」「第３」、「第４」、およびこれらと同種の用語は、同様の要素間の識別のために用いられるが、これらは、必ずしも、特定の連続する順序、または、時系列的な順序について記述するために用いられるとは限らない。従って、そのように使用される用語は、適切な状況下において置換可能であるため、ここに記述されたゴルフクラブ及び製造方法の実施形態は、例えば、ここに図示され、又は、記述された順序以外でも動作可能であると解される。さらに、「包含する」、「含む」、「有する」という用語およびそれらの変形は、排他的ではない包含を含むことを目的とするため、列挙された要素を構成する工程、方法、物品又は装置は、必ずしもこれらの要素に制限されることはないが、そのような工程、方法、物品又は装置について明白には列挙されていることも、固有なものであることもない他の要素も含まれる。
【０００８】
明細書及び特許請求の範囲において、「左」、「右」、「正面」、「背面」、「上部」、「底部」、「側面」、「下」、「上」、及び、同種の用語は、必要に応じて説明目的のために使用されるが、必ずしも永久的な相対的位置について記述することを目的とするものではない。従って、そのように使用される用語は、適切な状況下で置換可能であるため、ここに記述されたゴルフクラブおよび製造方法の実施形態は、例えば、ここに図示され、または記述される以外の向きでも動作可能であると解される。ここで使用される「結合される」という用語は、電気的、物理的、機械的、または他の方法で、直接的または間接的に連結されるものであると定義される。
【０００９】
一実施形態において、ゴルフバッグ支持機構は、ブラケットと第１のヒンジ部材とを備え得る。ブラケットは、外部ブラケット側と、外部ブラケット側の反対側に位置する内部ブラケット側とを備えるブラケット壁と、ブラケット壁の外部ブラケット側に隣接する第１のドックとを備え得る。第１のヒンジ部材は、第１のドックとヒンジ結合されるとともに、第１の上端部と、第１の上端部の反対側位置する第１の底端部と、第１の上端部と第１の底端部との間に伸びる第１の側壁と、第１の上端部に位置し、停止部を備える第１の突出部と、第１の側壁によって画定される第１の穴と、を備え得る。第１の軸線は、第１の突出部の中心、及び、第１の上端部と第１の底端部の間を通って伸び得る。第１のドックは、ブラケット壁の外部ブラケット側に伸びる第１の切欠きを備え得る。ゴルフバッグ支持機構が収納状態にある場合、収納角度は、第１の軸線とブラケット壁との間に存在し、第１の突出部は、第１の切欠きから離間する。ゴルフバッグ支持機構が伸張状態にある場合、収納角度よりも大きな伸張角度は、第１の軸線とブラケット壁との間に存在し、第１の突出部の停止部は、第１の切欠きに受容される。
【００１０】
１つの実施例では、ゴルフバッグ支持機構を提供するための方法は、ブラケットを設けるステップと、第１のヒンジ部材を設けるステップとを備え得る。ブラケットは、外部ブラケット側と外部ブラケット側の反対側に位置する内部ブラケット側とを備えるブラケット壁と、ブラケット壁の外部ブラケット側に隣接する第１のドックとを備え得る。第１のドックは、ブラケット壁の外部ブラケット側に伸びる第１の切欠きを備え得る。第１のヒンジ部材は、第１のドックに、ヒンジ式に結合され得る。第１のヒンジ部材を設けるステップは、第１の上端部を設けるステップと、第１の上端部の反対側に位置する第１の底端部を設けるステップと、第１の上端部と第１の底端部との間に伸びる第１の側壁を設けるステップと、第１の上端部に位置し、停止部を備える第１の突出部を設けるステップと、第１の側壁によって画定される第１の穴を設けるステップと、を備え得る。第１の軸線は、第１の突出部の中心、及び、第１の上端部と第１の底端部との間を通って伸びる。ゴルフバッグ支持機構は、収納角度が第１の軸線とブラケット壁の間に存在し、第１の突出部が第１の切欠きから離間する収納状態に移行可能とされ得る。ゴルフバッグ支持機構は、また、収納角度よりも大きな伸張角度が第１の軸線とブラケット壁との間に存在し、第１の突出部の停止部が第１の切欠きに受容される伸張状態に移行可能とされ得る。
【００１１】
一実施形態において、ゴルフバッグは、バッグ側壁と、第１及び第２の支持脚と、ブラケットと、第１及び第２のクラビスピンと、第１及び第２のヒンジ部材と、を備え得る。ブラケットは、（ａ）外部ブラケット側と、外部ブラケット側の反対側に位置する内部ブラケット側とを有するブラケット壁であって、バッグ側壁に結合され、かつ、実質的に平行に配置されるブラケット壁と、（ｂ）ブラケット壁の外部ブラケット側にある第１のドックであって、ブラケット壁の外部ブラケット側に伸びる第１の切欠きを備える第１のドックと、（ｃ）ブラケット壁の外部ブラケット側にある第２のドックであって、ブラケット壁の外部ブラケット側に伸びる第２の切欠きを備える第２のドックと、を備え得る。第１のヒンジ部材は、第１のクレビスピンによって、第１のドックにヒンジ式に結合され得る。第２のヒンジ部材は、第２のクレビスピンによって、第２のドックにヒンジ式に結合され得る。第１のヒンジ部材は、第１の上端部と、第１の上端部の反対側に位置する第１の底端部と、第１の上端部の中心に配置され、停止部を備える第１の突出部と、を備え得る。停止部は曲面状に形成されており、第１の突出部の第１の突出部端部、又は、第１の突出部の第２の突出部端部のうちの１個を備え得る。第２の突出部端部は、第１の突出部端部の反対側に位置する。第１のヒンジ部材は、また、第１の上端部と第１の底端部との間に伸びる第１の側壁と、第１の突出部の中心及び第１の上端部と第１の底端部との間を通って伸びる第１の軸線と、第１の側壁によって画定され、第１の底端部に第１の上端部に向かって伸びており、かつ、第１の軸線を中心として中心に配置される第１の穴と、を備え得る。第１のヒンジ部材の第１の側壁は、第１のヒンジ孔を備える第１の側壁端部と、第１の側壁端部の反対側に位置しており、第２のヒンジ孔を備える第２の側壁端部と、第１の側壁端部と第２の側壁端部との間に位置しており、第１の突出部の第１の突出部端部に向かって配置される第３の側壁端部と、第１の側壁端部と第２の側壁端部との間に位置しており、および第１の突出部の第２の突出部端部に向かって配置される第４の側壁端部と、を備え得る。第１のドックは、第１の切欠きを備える第１の後壁と、第１の後壁に実質的に垂直に、かつ、その両端に結合される第１および第２の耳部と、を備え得る。第１の耳部は、第１の耳孔を備え、第２の耳部は、第２の耳孔を備え得る。第１のクレビスピンは、第１のヒンジ部材のヒンジ軸線に沿ってヒンジ位置に挿入可能であり、第１のヒンジ部材を、第１のドックにヒンジ様（回動可能）に取り付ける。ヒンジ位置には、第１の耳孔に挿入され、第１のヒンジ孔と、第１の穴と、第２のヒンジ孔とを通って、第２の耳孔から出る第１のクレビスピンを備え得る。第１の切欠きの底部は、第１の突出部の停止部と適合するように曲面状に形成され得る。ゴルフバッグは、収納角度が第１の軸線とブラケット壁との間に存在し、第１の突出部が第１の切欠きから離間する収納状態に移行可能であり得る。ゴルフバッグは、また、収納角度よりも大きな伸張角度が第１の軸線とブラケット壁との間に存在し、かつ、第１の突出部の停止部が第１の切欠きに受容される伸張状態に移行可能であり得る。第１のヒンジ部材は、（ａ）ゴルフバッグが収納状態にある場合に、第３の側壁端部が第１のドックの第１の後壁に面し、ゴルフバッグが伸張状態にある場合に、第１の突出部端部が第１の切欠きに係合する第１の向き、又は、（ｂ）ゴルフバッグが収納状態にある場合に、第４の側壁端部が第１のドックの第１の後壁に面し、ゴルフバッグが伸張状態にある場合に、第２の突出部端部が第１の切欠きに係合する第２の向きのいずれかにおいて、第１のドックに取り付け可能であり得る。
【００１２】
他の実施例及び実施形態は、本明細書中にさらに開示される。そのような実施例及び実施形態は、図内、特許請求の範囲内及び／又は本説明内に見られうる。
【００１３】
ここで、図を参照すると、図１は、ゴルフバッグ１５０に結合されている収納された状態の例示的なゴルフバッグ支持機構１００の側面図を示す。ゴルフバッグ支持機構１００は、脚１６０がゴルフバッグ１５０に対して収納される本実施例においては、脚１６０に結合されて示される。図２は、ゴルフバッグ１５０に結合され、ゴルフバッグ１５０を、支持面２１０上で、ゴルフバッグ底部１５１とともに支持するように、脚１６０がゴルフバッグ１５０に対して伸張する伸張構成のゴルフバッグ支持機構１００の側面図を示す。いくつかの実施例では、支持面２１０には、芝生又は泥面などの地面、又は、実質的に平坦なコンクリート又は他の地面を含み得る。
【００１４】
ゴルフバッグ支持機構１００は、脚１６０が図１の収納状態から図２の伸張状態まで伸びることを可能とするように構成される。伸張状態では、完全に伸張される際の伸張角度２９０は、図１の収納状態の収納角度１９０よりも大きい。以下に記載されるように、伸張角度２９０及び収納角度１９０は、脚１６０とバッグ側壁１５５の間及び／又はゴルフバッグ支持機構１００の一部とバッグ側壁１５５の間で測定され得る。いくつかの実施例では、伸張角度２９０は、約４０度から約６０度であってもよく、特に、伸張角度２９０は、約５０度であってもよい。いくつかの実施例では、収納角度１９０は、約０度から約２０度であってもよく、特に、収納角度１９０は、約１０度であってもよい。ゴルフバッグ支持機構１００は、また、伸張状態で継続的な使用又は酷使による劣化を抑制し、かつ、ゴルフバッグ支持機構１００に高荷重が負荷される時でさえも、伸張角度２９０を維持するように構成される。
【００１５】
図３は、収納状態のゴルフバッグ支持機構１００の正面図を示す。図４は、伸張状態のゴルフバッグ支持機構１００の正面図を示す。本実施例においては、ゴルフバッグ支持機構１００は、ブラケット３３００と、ヒンジ部材３１００と、ヒンジ部材３２００とを備える。ブラケット３３００は、ブラケット壁３３３０と、ドック３５００，３６００とを備える。ブラケット壁３３３０は、図１〜２に示されるように、ゴルフバッグ支持機構１００の一部として、ゴルフバッグ１５０のバッグ側壁１５５の上部に結合されていてもよい。従って、ブラケット壁３３３０の後部は、少なくともいくつかの実施形態においては、バッグ側壁１５５に実質的に平行に配置される。本明細書中では、ブラケット３３００は、ゴルフバッグ１５０のバッグ側壁１５５の周方向の一部のみに結合されるように構成されることが示されている（図１〜２）が、バッグ１５０の上端部又は上部のまわりに一巡して結合する類似のブラケットを備えた他の実施形態であってもよい。ヒンジ部材３１００，３２００と、ドック３５００，３６００の他の部分は、以下で説明される。
【００１６】
本実施例においては、ドック３５００，３６００は、ブラケット壁３３３０と一体であり、単一片を備えるが、ドック３５００，３６００のうちの１つの少なくとも一部は、ブラケット壁３３３０と一体でない他の実施形態であってもよい。ドック３５００は、クレバスピン３４１０を介して、ヒンジ部材３１００を受容し、かつ、ヒンジ式（回転可能）に結合するように構成される。同様に、ドック３６００は、クレバスピン３４２０を解して、ヒンジ部材３２００を受容し、かつ、ヒンジ式（回転可能）に結合するように構成される。クレバスピン３４１０，３４２０を用いてヒンジ式に結合する（回転可能に結合する）ことによって、ヒンジ部材３１００，３２００は、ゴルフバッグ支持機構１００の収納状態（図３）及び伸張状態（図４）のそれぞれを実現するために、収納角度１９０（図１）と伸張角度２９０（図２）の間で、ブラケット壁３３３０に対して伸張又は収納し得る。
【００１７】
図５は、ヒンジ部材３１００の側面図を示す。図６は、ヒンジ部材３１００の平面図を示す。図７は、図５の線７−７に沿ったヒンジ部材３１００の断面図を示す。図８は、ヒンジ部材３１００の底面図を示す。本実施例においては、ヒンジ部材３１００，３２００（図３，４）は交換可能であり、図５〜８は、ヒンジ部材３２００も示し、所望であれば、ヒンジ部材３１００はドック３６００に結合され、ヒンジ部材３２００はドック３５００に結合されてもよい（図３〜４）。
【００１８】
図５〜８に示されるように、ヒンジ部材３１００は、上端部５１１０と、上端部５１１０の反対側に位置する底端部３１２０と、上端部５１１０と底端部５１２０との間に伸びており、ヒンジ部材３１００の外周周りに伸びる側壁３１９０と、上端部５１１０に位置する突出部５１５０と、を備える。突出部５１５０は、図５〜７に見られるように、上端部５１１０の中心に配置され、停止部５１５１を備える。ヒンジ部材３１００は、また、ゴルフクラブバッグ１５０を支持するための１個の脚１６０を挿入される穴３１８０を備える（図１〜２）。断面線７−７（図５）は、突出部５１５０の中心及び上端部５１１０と底端部３１２０との間を通って伸び、ヒンジ部材３１００の中央を横断する。なお、ヒンジ部材３１００は、穴３１８０の深端部又は内側端部から突出する保持指部８１８１〜８１８２（図８）を含む保持指部８１８０（図８）を備える。保持指部８１８１〜８１８２は互いに実質的に平行に配置されていてもよい。ヒンジ部材３１００の他の特徴は、以下に説明される。
【００１９】
図９は、ゴルフバッグ支持機構１００のブラケット３３００の正面図を示す。図１０は、ドック３５００の平面図を示す。図１１は、ドック３５００とブラケット３３００とに結合されるヒンジ部材３１００の側部背面図を示す。図１２は、伸張状態にある場合のドック３５００に結合されるヒンジ部材３１００の側部断面図である。ドック３６００（図９）は、ドック３５００と実質的に同一又は対称であってもよい。
【００２０】
図９に示すように、ドック３５００は、後壁９５３０と、後壁９５３０の両端に結合されるドック耳部９５１０および９５２０とを備え、本実施例においては、ドック耳部９５１０，９５２０は、後壁９５３０に実質的に垂直に伸びる。他の実施例では、他の実施形態において、ドック耳部９５１０及び／又は９５２０は、後壁９５３０に対して異なる角度を有してもよい。以下に説明されるように、ドック３５００のドック耳部９５１０，９５２０は、各々が耳孔９５１１，９５２１を含む。また、本実施例においては、後壁９５３０は、ブラケット壁３３３０の一部であるが、他の実施形態では、後壁９５３０とブラケット壁３３３０は、互いに分離され、又は、別個に構成されていてもよい。
【００２１】
図１０に示すように、後壁９５３０は、ブラケット壁３３３０の外部ブラケット側に伸びる切欠き１０５３１を備え、切欠き１０５３１は、図１１，１２に示されるように、ゴルフバッグ支持機構１００が伸張状態にある場合に、突出部５１５０の少なくとも停止部５１５１（図５）を受容するように構成される。従って、切欠き１０５３１は、伸張状態において、突出部５１５０の停止部５１５１に結合されると、停止機構として機能し、ゴルフバッグ支持機構１００が伸張状態に到達すると、ヒンジ部材３１００のさらなる回転を止める。図１２に示されるように、ゴルフバッグ支持機構１００が伸張状態にある場合、伸張角度２９０は、ブラケット壁３３３０とヒンジ部材３１００の中心軸線１２１００の間で測定される。収納状態の収納角度１９０（図１）は、また、ゴルフバッグ支持機構１００が収納状態にある場合、ブラケット壁３３３０とヒンジ部材３１００の中心軸線１２１００の間で測定されるが、伸張角度２９０（図２、１２）よりも小さい。ゴルフバッグ支持機構１００が収納状態にある場合、突出部５１５０は、ドック３５００の切欠き１０５３１から完全に離間する。
【００２２】
本実施例においては、ヒンジ部材３１００の突出部５１５０は、真直な楕円形状を有しており、突出部５１５０の停止部５１５１は、丸く（曲面状に）形成されており、切欠き１０５３１の底部は、同様に、停止部５１５１に相補的（適合するように）に丸く（曲面状に）形成されている。切欠き１０５３１とヒンジ部材３１００間との接触部分が、上記のように丸みを帯びているため、応力を効果的に分散し、応力集中の領域を減少することによって、接触応力を低減することを可能とし、これにより、ゴルフバッグ支持システム１００の許容重量を増加させることができる。しかしながら、突出部５１５０は、楕円形、丸形、三角形、又は、平坦な形状等の他の形状からなりうる他の実施形態であってもよい。そのような実施形態は、どうように、それら各々の相補的な（適合するような）形状の停止部５１５１を有してもよい。
【００２３】
本発明の実施例においては、切欠き１０５３１は、ヒンジ部材３１００の突出部５１５０の停止部５１５１の一部が、切欠き１０５３１を通って、ブラケット壁３３３０の内部ブラケット側からブラケット壁３３３０の外部ブラケット側まで、又は、ブラケット壁３３３０の外部ブラケットを越えて伸びるように、ブラケット壁３３３０の外部ブラケット側から内部ブラケット側まで完全に伸びている。この構成では、他の方法で可能なものよりも、突出部５１５０を、高くかつ頑丈にすることができ、停止部５１５１と切欠き１０５３１の間の接触応力を低減又は分散し、許容重量を向上させることができる。他の実施形態では、しかしながら、切欠き１０５３１は、ブラケット壁３３３０の内部ブラケット側まで完全に伸びている必要はない。
【００２４】
図１１〜１２に示されるように、補強リブ１１８０１〜１１８０２は、また、ゴルフバッグ支持機構１００に対してさらなる構造の保全性を提供する。補強リブ１１８０１〜１１８０２は、ドック３５００にあるブラケット３３００を強化するために、切欠き１０５３１の両端に実質的に水平に伸びる。例えば、補強リブ１１８０１は、切欠き１０５３１の底部の下かつ隣に位置する。いくつかの実施例では、ゴルフバッグ支持機構が伸張状態にある際に、少なくとも補強リブ１１８０１は、切欠き１０５３１と突出部５１５０の停止部５１５１の間の境界面に負荷される接触応力、又は、荷重に関してさらなる支持を提供することができる。従って、補強リブ１１８０１は、切欠き１０５３１の底部が破損又は摩耗した場合に、停止部５１５１を支持することができる。しかしながら、他の実施形態では、補強リブ１１８０１〜１１８０２の１個又は両方を不要にしてもよく、又は異なる向きの補強リブ１１８０１〜１１８０２を有してもよい。
【００２５】
本実施例では、また、ブラケット壁３３３０の上部縁端及びドック耳部９５１０，９５２０の上部縁端の上方に結合される上部壁３７００（図３、９、１０、および１２）が示される。上部壁３７００は、ブラケット壁３３３０から外側に伸びており、ブラケット壁３３３０に対して実質的に平行でない。上部壁３７００は、さらに、ドック３５００とヒンジ部材３１００との間の接触部分を隠す、又は、保護することができ、ゴルフバッグの使用者の指又は衣服を挟むことに対するさらなる保護として機能し得る。図１２に示されるように、ゴルフバッグ支持機構１００が伸張状態にある場合、ヒンジ部材３１００の突出部５１５０とドック３５００の切欠き１０５３１との係合によって、ヒンジ部材３１００は、上部壁３７００から完全に離間された状態で維持され、例えば、上部壁３７００の前端部において、潜在的に存在するあらゆる挟まれる状態を、防止又は抑制する。
【００２６】
図１３は、クレビスピン３４１０の斜視図を示す。ヒンジ部材３１００（図３，４）は、ドック３５００（図３および４）に対して、クレビスビン３４１０を中心に、部分的に回転する。図１４は、クレビスピン３４１０によって、ドック３５００のドック耳部９５１０，９５２０にヒンジ式に取り付けられたヒンジ部材３１００の断面図を示す。上述のように、ドック３５００のドック耳部９５１０，９５２０は、各々が耳孔９５１１および９５２１を備える（図９、１４）。同様に、ヒンジ部材３１００は、側壁３１９０の側壁端部６１９１（図６、７）にヒンジ孔７１１０（図７、１４）と、側壁３１９０の側壁端部６１９２（図６、７）にヒンジ孔７１２０（図７、１４）と、を備える。クレビスピン３４１０は、ヒンジ軸線１４５００に沿ってヒンジ位置に挿入可能であり、耳孔９５１１、ヒンジ孔７１１０、穴３１８０、ヒンジ孔７１２０、そして、耳孔９５２１のそれぞれを通って横断する。図１３〜１４に示されるように、クレビスピン３４１０は、クレビスピン３４１０の両端にある頭部端部部分１３４１１と、挿入端部部分１３４１２とを備える。クレビスピン３４１０がヒンジ位置にある（図１４）場合、挿入端部部分１３４１２は、耳孔９５２１を通ってドック３５００から突出する。本実施例においては、クレビスピン３４１０の挿入端部部分１３４１２の最大厚さは、耳孔９５１１，９５２１のそれぞれ、及び、ヒンジ孔７１１０，７１２０のそれぞれの孔寸法に相補的であり（適合するように形成されており）、挿入端部部分１３４１２の最大厚さの直径は、クレビスピン３４１０が通過する孔寸法以下である。
【００２７】
なお、クレビスピン３４１０の挿入端部部分１３４１２には、クレビスピン３４１０が、耳孔９５２１又はヒンジ孔７１２０から滑り出ないようにするためのコッタピン機構又は矢じり先端機構などの保持機構がない。代わりに、クレビスピン３４１０は、頭部端部部分１３４１１，１３４１２間に保持溝１３４１３を備え、保持溝１３４１３は、クレビスピン３４１０の少なくとも一部を囲む。保持指部８１８１〜８１８２間の距離（図８）は、保持溝１３４１３におけるクレビスピン３４１０の厚さまたは直径と相補的である（適合している）が、保持溝１３４１３の両側に隣接するクレビスピン３４１０の厚さよりも薄い。保持指部８１８０（図８）は、クレビスピン３４１０がヒンジ位置にある場合、保持溝１３４１３をまたぐように構成され、挿入端部１３４１２が耳孔９５２１及びヒンジ孔７１２０から滑り出ることを抑制し、それにより、図１４に示されるヒンジ位置にクレビスピン３４１０を維持する。いくつかの実施例では、保持指部８１８１〜８１８２（図８）は、クレビスピン３４１０の挿入端部部分１３４１２がその間に挿入されると、邪魔にならないように移動し、クレビスピン３４１０がヒンジ位置に挿入される際、保持溝１３４１３が保持指部８１８１〜８１８２間の位置にスライドされると、所定の位置に戻って嵌る、又は、そうでなければ適所に戻るように、十分に可撓性があってもよい。
【００２８】
図６に戻ると、ヒンジ部材３１００の側壁３１９０は、互いに対向し、かつ、側壁端部６１９１〜６１９２の間にある側壁端部６１９３〜６１９４を備える。突出部５１５０は、上端部５１１０において実質的に互いに対称な突出部端部６１５１，６１５２を備える。突出部５１５０は、突出部端部６１５１が側壁端部６１９３の方を向き、突出部端部６１５２が側壁端部６１９４の方を向くように配向される。従って、突出部端部６１５１，６１５２のいずれかは、ドック３５００の切欠き１０５３１に係合する停止部５１５１として機能することができる（図１１〜１２）。従って、ヒンジ部材３１００は、１個以上の向きで、ドック３５００内に挿入可能である。これらの向きのうちの１つの向きでは、ゴルフクラブ支持機構１００が収納状態にある場合（図３）、側壁端部６１９３は、ドック３５００の後壁９５３０（図１０）に対向し、ゴルフクラブ支持機構１００が伸張状態にある場合（図４、１１、１２）、突出部端部６１５１は、切欠き１０５３１と係合する停止部５１５１として機能することができる。これらの向きのうちの別の１個の向きでは、ゴルフクラブ支持機構１００が収納状態にある場合（図３）、側壁端部６１９４は、ドック３５００の後壁９５３０（図１０）に対向することができ、ゴルフクラブ支持機構１００が伸張状態にある場合（図４、１１、１２）、突出部端部６１５２は、切欠き１０５３１と係合する停止部５１５１として機能することができる。上記のような特徴は、製造及び／又は組立についての懸念を軽減することができ、ヒンジ部材３１００とドック３５００は、互いに対して１つの特定の向きに組立てられる必要はない。同様に、ヒンジ部材３１００はヒンジ部材３２００と交換可能であり、ドック３５００の代わりに、ドック３６００と結合することができ（図３）、それによって、ゴルフバッグ支持機構１００の製造及び組立工程がさらに簡略化する。
【００２９】
図１２に示されるように、ヒンジ部材３１００の穴３１８０は、中心軸線１２１００を中心として配置され、ヒンジ部材３１００の底端部３１２０から上端部５１１０に向かって伸びる。穴３１８０は、支持脚１６０（図１〜２）のうちの１個等、支持脚の第１の端部を受容するように構成され、支持脚の第２の端部は、ゴルフバッグ支持機構１００が伸張状態である場合（図２）に、ゴルフバッグ１５０を、ゴルフバッグ底部１５１とともに、支持面２１０上で支持するように使用することができる。そのような構成下において、及び図１２を参照すると、ヒンジ部材３１００の突出部５１５０の停止部５１５１は、ドック３５００の切欠き１０５３１を、ブラケット壁３３３０及び／又はバッグ側壁１５０に実質的に平行する方向に及び／又はブラケット壁３３３０及び／又はバッグ側壁１５０に沿う方向に押すことができる。いくつかの実施例では、ゴルフバッグ支持機構１００において、ブラケット壁３３３０に沿う及び／又はブラケット壁３３３０に実質的に平行する方向に切欠き１０５３１を押す能力は、突出部５１５０がブラケット壁３３３０及び／又はバッグ側壁１５０に実質的に垂直な方向に切欠き１０５３１、又は、ドック３５００を押す場合に比べて、例えば、より良い耐久性、可搬重量及び／又は伸張角度２９０を越えて伸張しすぎることに対する抵抗を付与するのに有利となりうる。なお、ブラケット壁３３３０が、伸張状態において、切欠き１０５３１の突出部５１５０との係合部がバッグ側壁１５５によって隠れ、外部から接触できないようにバッグ側壁１５５に対向するため、ゴルフクラブ支持機構１００は、ヒンジ部材３１００が、別の場合では露出される結合機構により切欠き１０５３１を係合する場合に起こり得る、挟むこと又は他の怪我の可能性を排除又は抑制するように構成される。
【００３０】
先に進むと、図１５は、ゴルフバッグ支持機構を提供するための方法１５０００のフローチャートを示す。いくつかの実施例では、方法１５０００のゴルフバッグ支持機構は、図１〜１４に関して上記されたゴルフバッグ支持機構１００と同様であってもよい。
【００３１】
方法１５０００のブロック１５１００は、ブラケット壁と、第１の切欠きを備えた第１のドックと、第２の切欠きを備えた第２のドックとを含むブラケットを設けるステップを備える。いくつかの実施例では、ブラケットは、ブラケット３３００（図３）に類似していてもよい。また、第１のドックは、ドック３５００（図３）と同様であってもよく、第２のドックは、ドック３６００（図３）と同様であってもよい。またはその逆であってもよい。同じ又は他の実施例では、第１の及び／又は第２の切欠きは、切欠き１０５３１（図１０〜１２）と同様であってもよい。
【００３２】
方法１５０００のブロック１５２００は、ゴルフバッグ支持機構が伸張状態にある場合、第１の切欠きに係合するように構成される第１の突出部を備える第１のヒンジ部材を設けるステップを備える。いくつかの実施例では、第１のヒンジ部材は、ヒンジ部材３１００（図３〜８、１１〜１２および１４）と同様であってもよく、第１の突出部は、突出部５１５０（図５〜７、１１〜１２および１４）と同様であってもよい。伸張状態は、ゴルフバッグ支持機構１００のための図２、４および１１に関して上述した、伸張状態と同様であってもよい。
【００３３】
方法１５０００のブロック１５３００は、ゴルフバッグ支持機構が伸張状態にある場合、第２の切欠きを係合するように構成される第２の突出部を備えた第２のヒンジ部材を設けるステップを備える。いくつかの実施例では、第２のヒンジ部材は、ヒンジ部材３２００（図３〜４）と同様であってもよく、第２の突出部は、突出部５１５０（図５〜７、１１〜１２および１４）と同様であってもよい。
【００３４】
方法１５０００のブロック１５４００は、第１のヒンジ部材を、第１のドックにヒンジで留める（回転可能に取り付ける）ように構成される第１のクレビスピンを設けるステップを備える。いくつかの実施例では、第１のクレビスピンは、クレビスピン３４１０（図３および１３〜１４）と同様であってもよく、同様に、クレビスピン３４２０（図３）と同様であってもよい。
【００３５】
方法１５０００のブロック１５５００は、第２のヒンジ部材を第２のドックにヒンジで留める（回転可能に取り付ける）ように構成される第２のクレビスピンを設けるステップを備える。いくつかの実施例では、第２のクレビスピンは、クレビスピン３４２０（図３）と同様であってもよく、同様に、クレビスピン３４１０（図３および１３〜１４）と同様であってもよい。
【００３６】
いくつかの実施例では、方法１５０００の異なるブロックの１個以上のブロックは、１個のブロックに組み合わせることができる、あるいは、同時に実施される、及び／又は、ブロックの順序を変えることができる。例えば、ブロック１５２００と１５３００及び／又はブロック１５４００と１５５００を、同時に実施してもよい。別の実施例として、ブロック１５２００と１５３００を、ブロック１５１００の前に実施してもよい。同じ又は他の実施例では、方法１５０００のブロックのいくつかを、複数個のサブブロックにさらに分割してもよい。例えば、ブロック１５１００は、サブブロックにさらに分割してもよく、それぞれのブロックは、ブラケット壁、第１のドック、第２のドックのうちの異なる１個を提供する。また、方法１５０００は、さらなる、又は、異なるブロックを備える実施例であってもよい。実施例として、方法１５０００は、ゴルフクラブバッグを提供するための、及び／又は、ブラケットをゴルフクラブバッグに取り付けるための別のブロックを備えていてもよい。なお、方法１５０００は、上記のステップの一部のみを備える実施例があってもよい。例えば、いくつかの実施例では、ブロック１５３００及び１５５００は必要でなく、ブロック１５１００のブラケットは、第２の切欠きを備える第２のドックを含まなくてもよい。本開示の範囲から逸脱することなく、方法１５０００の他の変更を実施することができる。
【００３７】
ゴルフバッグ支持機構及び関連する方法が本明細書中に特定の実施形態を参照して記載されているが、本開示の精神又は範囲から逸脱することなく種々の変更を行うことができる。そのような変更のさらなる実施例が前述の説明において提供される。種々の図の１つまたはそれ以上の特徴を有する異なる実施形態の他の置換も同様に考えられる。従って、明細書および図面は、開示の範囲を例示することを意図するものであり、限定することを意図するものではない。この出願の範囲は添付の請求項に必要とされる程度のみに限定されることを意図するものである。
【００３８】
本明細書中に記載されたゴルフバッグ支持機構および関連する方法は、種々の実施形態において実施されてもよく、これらの実施形態の特定の前述の説明は、すべての可能な実施形態の完全な説明を必ずしも示すものではない。むしろ、図面の詳細な説明および図面それ自体は、少なくとも１つの好適な実施形態を開示するものであり、代替的な実施形態を開示しうるものである。
【００３９】
任意の特定の請求項に請求されるすべての要素は、その特定の請求項で請求される実施形態にとって必須のものである。したがって、１つ又はそれ以上の請求された要素の置換は、再構成となり、訂正ではない。さらに、利点、他の利益および問題に対する解決策が特定の実施形態に関して記載されてきた。しかしながら、その利点、利益、問題に対する解決策、およびそのいずれかの利点、利益、または解決策を生じさせうる、あるいはより明確にし得る任意の要素または複数の要素は、そのような利点、利益、解決策又は複数の要素がそのような請求項中に明示的に記載されない限りは、請求項のいずれか又はすべてのものに関して、重要で、必要な、又は必須の特徴もしくは要素として解釈されるべきではない。
【００４０】
ゴルフのルールは時々変わる可能性があるため（例えば、全米ゴルフ協会（ｔｈｅ  Ｕｎｉｔｅｄ  Ｓｔａｔｅｓ  Ｇｏｌｆ  Ａｓｓｏｃｉａｔｉｏｎ（ＵＳＧＡ））、ロイヤル・アンド・エンシェント・ゴルフ・クラブ・オブ・セント・アンドリュース（ｔｈｅ  Ｒｏｙａｌ  ａｎｄ  Ａｎｃｉｅｎｔ  Ｇｏｌｆ  Ｃｌｕｂ  ｏｆ  Ｓｔ．  Ａｎｄｒｅｗｓ（Ｒ＆Ａ））等などのゴルフ標準化機構（ｇｏｌｆ  ｓｔａｎｄａｒｄ  ｏｒｇａｎｉｚａｔｉｏｎ）及び／又は統括団体により新規定が採用されうる、又は旧ルールが削除または変更されうる）、本明細書中に記載される装置、方法および製造の物品に関連するゴルフ器具は、いつ何時でもゴルフのルールに適合であっても不適合であってもよい。従って、本明細書中に記載される装置、方法及び製造の物品に関連するゴルフ器具は、適合又は不適合なゴルフ器具として、宣伝され、販売に供され、及び／又は販売されてもよい。本明細書中に記載される装置、方法および製造の物品はこの点に関して限定されない。
【００４１】
上の実施例はゴルフクラブバッグと関連して記載されてもよいが、本明細書中に記載される装置、方法および製造の物品は、他の器具を運ぶために設計される他の種類のバッグまたは物品に適用可能であってもよい。代わりに、本明細書中に記載される装置、方法および製造の物品は、ホッケー用スティック、テニスラケット、釣り竿、スキーのストック等などの異なる種類のスポーツ用具を運ぶための他のバッグまたは道具に適用可能であってもよい。
【００４２】
さらに、本明細書で開示される実施形態及び限定は、その実施形態及び／又は限定が、（１）請求項中で明示的に請求されていない場合、および（２）均等論の下で、請求項における明示された要素及び／又は限定の潜在的な均等物である場合、公有の原則（ｄｏｃｔｒｉｎｅ  ｏｆ  ｄｅｄｉｃａｔｉｏｎ）の下で公共用として提供されることはない。
【符号の説明】
【００４３】
１００：ゴルフバッグ支持機構
１５０：ゴルフバッグ
１５１：ゴルフバッグ底部
１５５：バッグ側壁
３１００：ヒンジ部材
３２００：ヒンジ部材
３３００：ブラケット
３４１０，３４２０：クレビスピン
３５００，３６００：ドック
【図１】
0005977990.tif 000002
【図２】
0005977990.tif 000003
【図３】
0005977990.tif 000004
【図４】
0005977990.tif 000005
【図５】
0005977990.tif 000006
【図６】
0005977990.tif 000007
【図７】
0005977990.tif 000008
【図８】
0005977990.tif 000009
【図９】
0005977990.tif 000010
【図１０】
0005977990.tif 000011
【図１１】
0005977990.tif 000012
【図１２】
0005977990.tif 000013
【図１３】
0005977990.tif 000014
【図１４】
0005977990.tif 000015
【図１５】
0005977990.tif 000016